(57)【要約】【課題】筐体の一面から離間してカードコネクタが配置される場合でも、低いコストでカードの誤挿入を防止できる構造を有する携帯端末装置を提供すること。【解決手段】この携帯端末装置は、筐体（１０）と、筐体に収容される基板（３０）と、カードが挿入可能であり基板に搭載されるカードコネクタ（３２、３３）と、カードコネクタを挟んで基板と対向配置される板金部材（４０）と、板金部材の板面から張り出してカードの誤進入を防止する張出部（４１）と、を具備する構成を採る。【選択図】図２
2014035736.tif 000002
【特許請求の範囲】
【請求項１】
筐体と、
前記筐体に収容される基板と、
カードが挿入可能であり前記基板に搭載されるカードコネクタと、
前記カードコネクタを挟んで前記基板と対向配置される板金部材と、
前記板金部材の板面から張り出して前記カードの誤進入を防止する張出部と、
を具備する携帯端末装置。
【請求項２】
前記張出部は、
前記板金部材の一部が加工されて構成され、且つ、前記カードコネクタのカード挿入口の横方に配置されている、
請求項１記載の携帯端末装置。
【請求項３】
前記筐体は、一方に開口を有し、四方に前記開口の周囲に沿った側壁を有し、
前記板金部材は、前記基板が前記筐体に収容された状態で、前記開口に嵌入されている、
請求項１記載の携帯端末装置。
【請求項４】
前記張出部は、前記板金部材の一部を切り起こして構成され、
前記張出部と前記基板との間には隙間が設けられている、
請求項１記載の携帯端末装置。
【請求項５】
前記張出部は、前記基板と対向する部位が板面になるように加工されている、
請求項１記載の携帯端末装置。
【請求項６】
前記張出部は、１つ又は複数設けられ、前記カードを前記カード挿入口に誘導する角度を有している、
請求項１記載の携帯端末装置。
【請求項７】
前記板金部材における前記基板の反対側に固定される固定部品を具備し、
前記張出部は、前記固定部品の要支持部または薄弱部を避けた位置に設けられている、
請求項１記載の携帯端末装置。
【請求項８】
前記板金部材の一端が近接して固定される樹脂成型部と、
前記板金部材と前記樹脂成型部とにまたがって貼り付けられる情報表示シールと、
を具備し、
前記樹脂成型部の前記情報表示シールの貼付け面には、線状リブが設けられている、
請求項１記載の携帯端末装置。
【請求項９】
前記線状リブは、前記樹脂成型部における前記貼付け面の長手方向と交差する向きで、前記長手方向に複数設けられている、
請求項８記載の携帯端末装置。
【請求項１０】
前記線状リブは、１ｍｍ以下の高さであり、
前記線状リブの頂角は鈍角にされている、
請求項８記載の携帯端末装置。
【請求項１１】
前記線状リブの天面と前記板金部材の前記情報表示シールの貼付け面とがほぼ同じ高さである、
請求項８記載の携帯端末装置。
【請求項１２】
前記樹脂成型部は、前記筐体の一部であり、
前記筐体は、一方に開口を有し、四方に前記開口の周囲に沿った側壁を有し、
前記板金部材は、前記開口に嵌入されて固定されている、
請求項８記載の携帯端末装置。
【請求項１３】
前記筐体は、
蓋が嵌入される蓋穴と、
前記蓋穴の外周の一部と重なった凹部と、
前記凹部における蓋に隠れない部位と、前記蓋穴の中寄りの部位との間を仕切るように隆起した仕切用リブと、
を有する、
請求項１記載の携帯端末装置。
【請求項１４】
前記蓋穴の中寄りには防水領域が設けられ、
前記仕切用リブは、前記凹部と前記防水領域との間を仕切るように隆起している、
請求項１３記載の携帯端末装置。
【請求項１５】
前記蓋穴の周縁には、前記蓋の裏面の縁部に対向する座面が設けられ、
前記仕切用リブは、前記凹部の前記座面につながる部位の片側を、前記座面の中で囲っている、
請求項１３記載の携帯端末装置。
【請求項１６】
前記仕切用リブは、前記座面における前記凹部に近い側に設けられている、
請求項１５に記載の携帯端末装置。
【請求項１７】
前記仕切用リブの高さは、前記蓋が前記蓋穴に嵌入された状態で、前記蓋の裏面にほぼ当接する高さである、
請求項１３記載の携帯端末装置。
【請求項１８】
前記蓋の裏面には、前記凹部と前記蓋穴の中寄りの部位との間を仕切るように隆起した裏リブが設けられている、
請求項１３記載の携帯端末装置。
【請求項１９】
前記筐体には、
蓋が嵌入される蓋穴と、
前記蓋穴の外周の一部と重なった凹部と、
が設けられ、
前記蓋の裏面には、前記凹部と前記蓋穴の中寄りの部位との間を仕切るように隆起した裏リブが設けられている、
請求項１記載の携帯端末装置。
【発明の詳細な説明】
【技術分野】
【０００１】
本発明は、筐体を有する携帯端末装置に関する。
【背景技術】
【０００２】
携帯端末装置には、一般に、ＩＣカードまたはメモリカードが挿入されるカードコネクタが搭載される。カードコネクタのカード挿入口は、例えば、電池パックの収容部に面して配置されることがある。
【０００３】
また、従来の携帯端末装置の中には、筐体の底面に近接してカードコネクタが配置されるとともに、カード挿入口の周囲を筐体底面から膨出させた樹脂によって塞いだ構造を有するものがある。このようにカード挿入口の周囲を塞ぐことで、カードがカード挿入口を外れて装置内部に誤挿入されることを防止できる。カードが誤挿入されると、実装部品またはカードを破損させる恐れが生じる。
【０００４】
また、本発明に関連する技術として、特許文献１には、サイズの異なる複数のカードが挿入されるカードコネクタにおいて、誤挿入されたカードを取出し容易にする構造の提案がなされている。
【先行技術文献】
【特許文献】
【０００５】
【特許文献１】特開２０１０−２１２１２２号公報
【発明の概要】
【発明が解決しようとする課題】
【０００６】
携帯端末装置では、装置の小型化、薄型化、実装部品の増加、ならびに、実装部品の配置の制約等によって、基板の上面、すなわち、筐体底面の逆側の面に、カードコネクタが搭載されることがある。
【０００７】
このような配置が採用された場合、基板自体が妨げとなって、カード挿入口の周囲を筐体の樹脂で塞ぐことが困難になる。
【０００８】
また、カード誤挿入を防止する構成としては、専用部品を別途設けてカード挿入口の周囲を塞ぐ構成を検討することができる。しかしながら、この構成では、部品点数の増加による製造コストの上昇という課題が生じる。また、この構成では、専用部品を固定する構造が必要となり、その分、装置の体積が増してしまうという課題が生じる。
【０００９】
本発明の目的は、低いコストでカードの誤挿入を防止できる構造を有する携帯端末装置を提供することである。
【課題を解決するための手段】
【００１０】
本発明の一態様に係る携帯端末装置は、筐体と、前記筐体に収容される基板と、カードが挿入可能であり前記基板に搭載されるカードコネクタと、前記カードコネクタを挟んで前記基板と対向配置される板金部材と、前記板金部材の板面から張り出して前記カードの誤進入を防止する張出部と、を具備する構成を採る。
【発明の効果】
【００１１】
本発明によれば、カードコネクタが筐体の一面から離れて配置される場合でも、板金部材の張出部によってカードの誤挿入を防止できる。よって、カード誤挿入の防止を低コストに実現できる。
【図面の簡単な説明】
【００１２】
【図１】本発明の実施の形態の携帯端末装置における要部の分解斜視図
【図２】図１の複数の部品を上下逆転して見た分解斜視図
【図３】実施の形態の携帯端末装置のカード挿入箇所を示す斜視図
【図４】カード挿入箇所を正面に見た断面図
【図５】板金部材の張出部とカードコネクタとの関係を示す図
【図６】板金部材の張出部の構造を示す断面図
【図７】板金部材の張出部の第１変形例を示す断面図
【図８】板金部材の張出部の第２変形例を示す断面図
【図９】板金部材の張出部に係る構造の第３変形例を示す断面図
【図１０】板金部材の張出部の第４変形例を示す図
【図１１】板金部材の張出部の形成位置を説明する図で、（Ａ）は板金部材上にキーシートが配置される場合の一例、（Ｂ）は板金部材上に液晶パネルが配置される場合の一例
【図１２】電子基板にカード誤挿入防止用のガードブロックを設けた例を示す断面図
【図１３】電子基板にカード誤挿入防止用のガードブロックを設けた例を示す斜視図
【図１４】情報シールが貼られた電池パックの収容部を示す斜視図
【図１５】情報シールが貼られる筐体の樹脂成型部を示す斜視図
【図１６】情報シールが貼られた電池パックの収容部を示す平面図
【図１７】図１６のＡ−Ａ線断面図
【図１８】図１６のＢ−Ｂ線断面図
【図１９】樹脂成型部と情報シールとの関係を示す断面図
【図２０】樹脂成型部に情報シールが押し付けられた場合を示す断面図
【図２１】情報シールに皴を発生させないその他の構成例を示す断面図
【図２２】蓋穴に一部が重なった凹部の周辺を示す拡大斜視図
【図２３】携帯端末装置の電池蓋のある側を示す背面図
【図２４】図２３のＣ−Ｃ線断面図
【図２５】仕切用リブを示す平面図
【図２６】仕切用リブの第１変形例を示す平面図
【図２７】仕切用リブの第２変形例を示す断面図
【図２８】仕切用リブの第２変形例を示す平面図
【図２９】仕切用リブの第３変形例を示す断面図
【発明を実施するための形態】
【００１３】
以下、本発明の各実施の形態について図面を参照して詳細に説明する。
【００１４】
［全体構成］
図１は、本発明の実施の形態の携帯端末装置における要部の分解斜視図である。図２は、図１の複数の部品を上下逆転して見た分解斜視図である。
【００１５】
本実施の形態の携帯端末装置は、表示部を有する第１構成部と、操作キーを有する第２構成部とが、ヒンジ１１を介して回転可能に連結されて構成される。以下では、第２構成部について主に説明する。
【００１６】
携帯端末装置の第２構成部は、図１および図２に示すように、筐体１０と、電池パック２９と、電池蓋２５と、電子基板３０と、板金部材４０と、キーシート５０（図１および図２では省略、図４を参照）とを備えている。
【００１７】
筐体１０は、上方が開口し、四方が開口の周囲に沿った側壁で囲まれ、一部を除いて底が覆われた、所謂バスタブ型の構造である。筐体１０は、樹脂により一体成型されて構成される。筐体１０の底の一部には、ユーザーにより電池パックが出し入れされる取出口１２が設けられている。
【００１８】
電子基板３０には、電池パック２９と接続される電源端子３１、カードＣ１、Ｃ２が挿入されるカードコネクタ３２、３３、通信処理回路、制御回路、その他の各種の機能回路等が実装されている。電子基板３０は、筐体１０の上部開口から底のある収容部１３へ挿入されて固定される。
【００１９】
カードコネクタ３２、３３は、例えば、通信に必要なユーザー情報が格納されたＩＣカード（カードＣ１）、または、ユーザーデータが格納されたメモリカード（カードＣ２）等をデータアクセス可能に接続するものである。カードコネクタ３２、３３は、カード挿入口を有するハウジングと、カードＣ１，Ｃ２と電気的に接続するための接続端子とを備えている。
【００２０】
板金部材４０は、金属板をプレス加工等して構成される。板金部材４０は、筐体１０に電子基板３０が収容された状態で、筐体１０の上部開口を塞ぐように嵌入される。板金部材４０は、筐体１０の開口に嵌入されることで、筐体１０の剛性を高める。また、板金部材４０は、筐体１０の開口を塞ぐように固定されるキーシート５０（図４）の背面を支持する。
【００２１】
板金部材４０には、図２に示すように、カードコネクタ３２、３３のカード挿入口に並ぶ張出部４１が設けられている。張出部４１の詳細は後述する。
【００２２】
電池パック２９は、筐体１０の取出口１２から挿入されて、電子基板３０の電源端子３１に接続される。
【００２３】
電池蓋２５は、取出口１２に嵌合されて取出口１２を塞ぐ。電池蓋２５と取出口１２との間には止水構造が設けられ、電池蓋２５が閉められた状態で、筐体１０の内部は防水領域となる。
【００２４】
キーシート５０（固定部品に相当、図４を参照）は、複数のキーと、複数のキーの押下をそれぞれ検出する複数のセンサーとが設けられたシート状の部品である。キーシート５０は、背面全てを面で支持する必要はなく、キーおよびセンサーの背面（キーの押下の力を受けるダイアフラム５１（図１１参照）が有る箇所）が支持を要する箇所となる。
【００２５】
［カード挿入箇所］
図３は、実施の形態の携帯端末装置のカード挿入箇所を示す斜視図である。図４は、電池収容部の箇所を切断してカード挿入箇所を正面に見た断面図である。
【００２６】
図３と図４とは、筐体１０に電子基板３０と板金部材４０とキーシート５０とが組み付けられた構成を示している。
【００２７】
本実施の形態の携帯端末装置においては、カードコネクタ３２、３３は、電子基板３０と板金部材４０との間に挟まれ、且つ、カード挿入口が電池収容部に面して配置される。また、電子基板３０の反対面の中央には、すなわち、２つのカードコネクタ３２、３３の間の箇所で、且つ、電子基板３０の筐体１０の底面側には、電源端子３１が実装されている。
【００２８】
カードコネクタ３２、３３は、図４に示したように、電子基板３０を間に挟んで筐体１０の底面から離間して配置されている。よって、本実施の形態では、筐体１０の底面から樹脂成型部を膨出させて、カードコネクタ３２、３３のカード挿入口の周辺を塞ぐことは難しい。
【００２９】
［張出部の構造］
図５は、板金部材の張出部とカードコネクタとの関係を示す図である。図５では、電子基板３０を上側に仮想線（２点鎖線）で示し、電子基板３０に実装されているカードコネクタ３２、３３および部品３５を実線で示している。図６は、板金部材の張出部の構造を示す断面図である。
【００３０】
本実施の形態では、図４〜図６に示すように、板金部材４０の張出部４１が、電子基板３０の方へ張り出して形成されている。張出部４１は、２つのカードコネクタ３２、３３のカード挿入口の横、２つのカードコネクタ３２、３３の間隙の部分に張り出して、カードＣ１、Ｃ２が誤挿入されないように間隙を埋めている。
【００３１】
張出部４１は、板金部材４０の一部を切り出しおよび折り曲げ加工して構成される。特に制限されないが、より具体的には、張出部４１は、板金部材４０の一部を１辺が基面につながった長方形状に切り出し、一箇所を折り曲げて、一端側を基面に対してほぼ垂直に起立させて構成される。張出部４１は、先端と電子基板３０との間にクリアランスを有する高さに形成されている。このクリアランスは、カードＣ１、Ｃ２の厚みより十分に小さく、且つ、携帯端末装置に許容される外力が加わった場合に、張出部４１の先端と、電子基板３０とが衝突しない大きさに設計されている。
【００３２】
なお、電子基板３０には、張出部４１の端部と対向する部位を避けるように、プリント配線を設けてもよい。または、電子基板３０のこの部位には、表面が非導電部材（レジスト等）に覆われた面グラウンド（ベタグラウンドとも呼ぶ）が形成されていてもよい。これらの構成により、仮に、張出部４１が電子基板３０に当接するようなことがあっても、張出部４１が電子基板３０の配線に影響を与えない。
【００３３】
張出部４１は、板金部材４０の基面とつながる部分が、手前（電池収容部側）になるように形成される。すなわち、張出部４１を形成するために基面に設けられる切欠が、奥側に配置される。これにより、切欠のバリまたは鋭い切出し面によって誤挿入されたカードＣ１、Ｃ２が傷付いてしまうことが防止される。
【００３４】
以上のように、本実施の形態の携帯端末装置によれば、張出部４１がカードコネクタ３２、３３のカード挿入口の横の間隙に張り出している。よって、電子基板３０の板金部材４０に対向する面にカードコネクタ３２、３３が実装されていても、カード挿入口の横の間隙にカードＣ１、Ｃ２が誤挿入されることを防止することができる。
【００３５】
［張出部の変形例］
張出部に係る構成としては、次のような変形を適用してもよい。
【００３６】
図７〜図９は、張出部に係る第１変形例〜第３変形例を示す断面図である。
【００３７】
図７の第１変形例は、張出部４１Ａを二段階に折り曲げ加工して、張出部４１Ａが板面で電子基板３０に対向する構成としたものである。
【００３８】
このような構成により、仮に、張出部４１Ａが電子基板３０に当接するようなことがあっても、張出部４１Ａが電子基板３０を損傷してしまうことを防止できる。
【００３９】
図８の第２変形例は、張出部４１Ｂを絞り加工により、電子基板３０の方へ膨出させて形成したものである。
【００４０】
このような構成としても、張出部４１ＢによりカードＣ１の誤挿入を阻止することができる。さらに、張出部４１Ｂは板面で電子基板３０に対向する構成となるので、仮に、張出部４１Ｂが電子基板３０に当接するようなことがあっても、張出部４１Ｂが電子基板３０を損傷してしまうことを防止できる。
【００４１】
図９の第３変形例は、電子基板３０における張出部４１の端部と対向する部位に、保護用の板金３７を固着させたものである。
【００４２】
このような構成とすれば、仮に、張出部４１が電子基板３０に当接しても、張出部４１が電子基板３０の配線等を損傷してしまうことを防止できる。
【００４３】
図１０は、板金部材の張出部の第４変形例を示す図である。
【００４４】
図１０の第４変形例は、複数の張出部４１Ｃ、４１Ｄを設けた例である。また、第４変形例は、張出部４１Ｃ、４１Ｄの板面の向きがカード挿入口の方へ斜め（板金部材４０の基面に垂直な方向から見てカード挿入方向に対して斜め）に傾くように形成されている。このような構成により、張出部４１Ｃ、４１ＤにカードＣ１、Ｃ２が当接した際に、カードＣ１、Ｃ２をカードコネクタ３２、３３のカード挿入口へ誘導することができる。
【００４５】
［張出部の配置例１］
図１１は、板金部材の張出部の形成位置を説明する図である。図１１（Ａ）は板金部材上にキーシートが配置される場合の一例、図１１（Ｂ）は板金部材上に液晶パネルが配置される場合の一例である。
【００４６】
本実施の形態の張出部４１は、図１１（Ａ）に示すように、キーシート５０（図４）のダイアフラム５１を避けた位置に形成されている。
【００４７】
張出部４１は、先に説明したように、板金部材４０の一部を加工して形成されている。そのため、板金部材４０における張出部４１の周辺には切欠きＮ（或いは、絞り加工で形成している場合には凹部）が形成される。よって、板金部材４０の上面（キーシート５０を支持する面）では、張出部４１の周辺に窪んだ部分が生じて、この部分によるキーシート５０の支持は弱くなる。
【００４８】
しかしながら、本実施の形態の携帯端末装置では、張出部４１がキーシート５０のダイアフラム５１を避けて配置されるので、キーシート５０の全てのダイアフラム５１が板金部材４０により確実に支持されて、キーシート５０の機能に影響を与えない。
【００４９】
［張出部の配置例２］
なお、板金部材４０の上面に配置される部品は、キーシート５０に限られず、例えば、表示モジュール（固定部品に相当）が配置されることもある。
【００５０】
表示モジュールは、例えば、強化された前面パネルに、薄膜状の液晶部、薄膜状の透明電極部、薄膜状のバックライト導光部、および、背面保護板が密着して構成される。また、前面パネルと背面保護板との間には、液晶部を外れた箇所に、表示ドライブ回路が設けられる。液晶部および透明電極部等は、表示モジュールの中央の範囲に広がり、表示モジュールの周縁の範囲からは省かれる。よって、表示モジュールの周縁には、一部の範囲に、背面保護板が前面パネルとの間に隙間を開けて存在する一枚板部５５（図１１（Ｂ）を参照）が生じることがある。一枚板部５５は、薄い背面保護板が単独で浮いた状態にあるため、薄弱な部分となる。
【００５１】
このように、板金部材４０の上面に薄弱部（表示モジュールであれば例えば一枚板部５５）が存在する場合には、板金部材４０の張出部４１は、この薄弱部を避けた位置に設けてもよい。これにより、板金部材４０により薄弱部を適宜支持させて、薄弱部の補強を確実に行うことができる。
【００５２】
［カード誤挿入を防止するその他の構成例］
図１２および図１３は、電子基板にカード誤挿入防止用のガードブロックを設けた例を示す断面図および斜視図である。
【００５３】
カード誤挿入を防止する構成としては、図１２および図１３に示すように、電子基板３０にガードブロック３８を実装する構成を採用することができる。ガードブロック３８は、例えば、金属板または樹脂を箱型にした構成であり、電子基板３０のカード誤挿入を防止したい箇所に固着される。
【００５４】
このような構成によれば、部品の追加および実装工程の追加が生じるが、上述した実施の形態と同様に、カードの誤挿入を防止することができる。
【００５５】
［情報シールの貼付部に関する課題］
従来の携帯端末装置では、一般に、装置の型番、製造番号、その他、様々な情報が印字された情報シールが、例えば、電池パックを外した箇所など装置の内側に貼られている。情報シールの情報は装置のメンテナンス時などに利用される。また、情報シールには、一般に、機械により情報を読み取り可能とするバーコードが印字されている。
【００５６】
このような情報シールは、板金部材と樹脂成型部とにまたがって貼られる場合がある。一般に、樹脂成型部とは筐体の一部などであり、板金部材は樹脂製の筐体の剛性を高めるために筐体に固定されるシャーシー等である。情報シールがまたがって貼られる理由は、例えば、シールを貼るスペースがそこしかないため、或いは、板金部材の端面エッジをシールで覆って他の部品（電池パックなど）が傷つくのを防止するためなどである。
【００５７】
このように情報シールが２つの部材にまたがって貼られた携帯端末装置では、落下時など装置に比較的に大きな力が加わった場合に、板金部材と樹脂成型部とがずれて、これらの境界で皴が寄ってしまうという課題が生じることがある。目立った皴は、見た目上の遜色となり、また、バーコードの箇所まで及んだときには機械による情報の読み取りが困難になるという問題を生じさせる。
【００５８】
本実施の形態の携帯端末装置は、装置に強い力が加わったときでも、情報シールの皴の発生を低減できる携帯端末装置を提供することを目的の一つとしている。
【００５９】
［情報シールの貼付箇所の構造］
図１４は、情報シールが貼られた電池パックの収容部を示す斜視図である。図１５は、情報シールが貼られる筐体の樹脂成型部を示す斜視図である（図１５では板金部材４０および情報シールＳが除かれている）。図１６は、情報シールが貼られた電池パックの収容部を示す平面図である。
【００６０】
図１４に示すように、本実施の形態の携帯端末装置では、電池収容部において板金部材４０および筐体１０の樹脂成型部１４にまたがって情報シールＳが貼り付けられている。
【００６１】
情報シールＳは、携帯端末装置の型番、製造番号、バーコード、その他、様々な情報が印字されたシールであり、銘板とも呼ばれる。
【００６２】
先ず、板金部材４０の固定構造を説明する。板金部材４０の一端には、係合片４２、４３（図１参照）が設けられている。また、筐体１０の対応する箇所には、係合片４２、４３が嵌る係合溝１６、１７（図１５参照）が設けられている。そして、これらが係合することで、板金部材４０の一端が、筐体１０の開口の一端に固定される。
【００６３】
このような板金部材４０の固定構造では、板金部材４０の端面４０ｅ（図１参照）と、筐体１０の開口内側の端面１４ｅ（図１５参照）とが、互いに対向し当接される。板金部材４０の端面４０ｅには金属エッジが現れるため、そのままでは電池パック２９と接触して傷付ける可能性がある。しかしながら、本実施の形態では、情報シールＳがこの金属エッジの部分を覆って電池パック２９を保護する役割を担っている。
【００６４】
次に、筐体１０の樹脂成型部１４について説明する。樹脂成型部１４は、電池収容部において板金部材４０とほぼ面一の高さで平面状に広がるように形成されている。樹脂成型部１４には、図１５および図１６に示すように、複数の線状リブ１５が形成されている。
【００６５】
［線状リブの構造］
図１７は、図１６のＡ−Ａ線断面図である。図１８は、図１６のＢ−Ｂ線断面図である。
【００６６】
線状リブ１５は、高さが低く、直線状に伸びる形状のリブである。図１８に示すように、高さＨは、例えば、０．０５ｍｍである。なお、高さＨは、０．０２ｍｍ〜１ｍｍ程度とすれば良い。
【００６７】
線状リブ１５の断面形状は、頂角が鈍角となる台形形状である。天面の幅Ｗ（図１８）は、例えば０．５ｍｍである。なお、天面の幅Ｗは、０．２ｍｍ〜２ｍｍ程度とすれば良い。
【００６８】
樹脂成型部１４および線状リブ１５は、図１７に示すように、線状リブ１５の天面と板金部材４０の上面とが略同じ高さになるように形成されている。
【００６９】
また、線状リブ１５は、図１６に示すように、情報シールＳと樹脂成型部１４との重なり部分の短辺方向に伸びる向きで形成され、この重なり部分の長辺方向に複数分散して形成されている。
【００７０】
［線状リブの作用］
図１９は、樹脂成型部と情報シールとの関係を示す断面図である。
【００７１】
本実施の形態の携帯端末装置によれば、複数の線状リブ１５があることで、情報シールＳは、樹脂成型部１４の上面の大部分から浮いた状態（または弱い接着力で接した状態）となる。よって、携帯端末装置に強い衝撃が加わって、筐体１０の樹脂成型部１４と板金部材４０との間に歪みが生じた場合、情報シールＳは樹脂成型部１４から強く引っ張られずに、線状リブ１５から外れてずれる。よって、情報シールＳに目立った皴が寄ってしまうことが防止される。
【００７２】
図２０は、樹脂成型部に情報シールが押し付けられた場合を示す断面図である。
【００７３】
また、本実施の形態では、線状リブ１５の頂角が鈍角とされている。よって、図２０に示すように、情報シールＳが押し付けられて樹脂成型部１４に貼り付けられた場合でも、情報シールＳに目立った筋が出ないようになっている。
【００７４】
なお、歪みによる情報シールＳの皴は、中央で大きく生じやすいため、線状リブ１５は中央にのみ複数個設けて、端の部分は情報シールＳが樹脂成型部１４に面で接着されるように構成してもよい。
【００７５】
［情報シールの皴の発生を防ぐその他の構成例］
図２１は、情報シールに皴を発生させないその他の構成例を示す断面図である。
【００７６】
なお、情報シールＳ１に皴を発生させない構成としては、図２１に示すような構成を採用することもできる。この構成は、情報シールＳ１の板金部材４０と重なる範囲に粘着面ｆ１を設け、情報シールＳ１の樹脂成型部１４と重なる範囲に粘着面ｆ１を設けないものである。
【００７７】
このような構成では、情報シールＳ１の製造コストが少し上昇する。しかしながら、このような構成としても、携帯端末装置に強い衝撃が加わって、筐体１０の樹脂成型部１４と板金部材４０との間に歪みが生じた場合でも、情報シールＳ１に目立った皴が寄ってしまうことが防止される。
【００７８】
［電池蓋の引っ掛け用の凹部に関する課題］
従来、携帯端末装置には、電池パックの取出口、および、取出口を塞ぐ蓋が設けられることがある。また、従来、蓋が嵌入される筐体の蓋穴の周囲の一部には、蓋穴と一部が重なる凹部が設けられることがある。この凹部は、蓋を外す際に、ユーザーが指先（爪など）を凹部へ差し込んで蓋の縁に引っ掛けることを容易にするためのものである。
【００７９】
蓋穴に併設された凹部は、外から見える部分なので、筐体の外面と同様に塗装されることが必要となる。筐体に塗装を施す際、蓋穴の中は塗料が吹き付けられないようにマスキングされる。しかしながら、このような塗装工程においては、凹部からマスキングの箇所へ塗料が吹き込んでしまうことがあった。仮に、マスキングシールでマスキング箇所を完全に封じれば、塗料が吹き込んでも、マスキング箇所に塗料が付いてしまうことはない。しかしながら、塗装準備の工程を効率的に行うために、筐体のマスキングは、マスキング箇所にジグを当てることで簡易的に行われるのが一般的である。よって、塗料が吹き込むと、マスキングすべき箇所に塗料が付いてしまうという課題が生じる。
【００８０】
この課題は、特に、マスキング箇所に防水領域が含まれる場合に、顕著なものとなる。防水領域のパッキン設置面は、例えば、１０μｍの精度で凹凸が生じないように管理を行っている。しかしながら、塗料が吹き込むと２０μｍ〜３０μｍの厚みで凹凸が生じてしまう。
【００８１】
本実施の形態では、塗装時に蓋穴の中寄りへ塗料が吹き込んでしまうことを防止することを目的の一つとしている。
【００８２】
［電池蓋の周辺構造］
図２２は、本実施の形態における凹部の周辺を示す拡大斜視図である。図２３は、携帯端末装置の電池蓋のある側を示す背面図である。
【００８３】
筐体１０の背面には、電池蓋２５が嵌入される蓋穴２４（図２２を参照）が設けられている。蓋穴２４は、取出口１２と、座面１８を含んだ部分である。座面１８は、電池蓋２５の縁部が対向される面であり、取出口１２の周囲に設けられている。
【００８４】
蓋穴２４において、取出口１２の内側は防水領域である。電池蓋２５と取出口１２との間には止水のためにＯリング状のパッキンＰ（図１および図２４を参照）が設けられている。
【００８５】
また、蓋穴２４の外周の一部には、電池蓋２５の縁を指先で引っ掛け易くするための凹部１９が設けられている。
【００８６】
さらに、蓋穴２４の座面１８には、凹部１９と取出口１２との間を仕切るように隆起した仕切用リブ２０が形成されている。
【００８７】
［仕切用リブの構造］
図２４は、図２３のＣ−Ｃ線断面図、図２５は、仕切用リブを示す平面図である。
【００８８】
仕切用リブ２０は、座面１８における凹部１９の周囲に沿って、凹部１９の片側を囲うように、座面１８から突出して設けられた丈の低いリブである。仕切用リブ２０は、樹脂により筐体１０と一体成型されて構成される。
【００８９】
仕切用リブ２０は、図２５に示すように、座面１８のうち凹部１９寄りに形成されている。また、仕切用リブ２０は、図２４に示すように、電池蓋２５を閉めた状態で、電池蓋２５の裏面にほぼ当接する高さを有している。
【００９０】
［仕切用リブの作用］
本実施の形態の携帯端末装置によれば、蓋穴２４をジグでマスキングして筐体１０の塗装処理を行う際、塗料が凹部１９から蓋穴２４の方へ吹き込むような場合でも、仕切用リブ２０が途中で塗料の吹込みを遮る。よって、凹部１９の中の塗装は確実に行えるとともに、塗料が無秩序に座面１８の内側または防水領域となる取出口１２まで吹き込んでしまうことが防止される。
【００９１】
よって、本実施の形態の携帯端末装置では、塗料の吹込みを防止できることから、電池蓋２５を取り外すための凹部１９を比較的大きく設計できるという効果も得られる。また、本実施の形態では、塗料の吹込みを防止できることから、座面１８の幅を小さく設計できるという効果も得られる。
【００９２】
次に、電池蓋２５を取付けおよび取外す際の仕切用リブの作用について説明する。
【００９３】
電池蓋２５が蓋穴２４に採り付けられる際、電池蓋２５のパッキンＰは取出口１２の内部へ押し込まれた後、弾性により僅かなストロークだけ電池蓋２５を外方へ押し戻す。つまり、電池蓋２５は、仕切用リブ２０に当接するまで押し込まれた後、パッキンＰの部分が僅かなストロークだけ押し戻されて固定される。よって、仮に、仕切用リブ２０が座面１８の取出口１２寄りに設けられていると、電池蓋２５は、仕切用リブ２０に当接した位置から僅かなストロークだけ押し戻されるため、固定状態で、座面１８から比較的大きく浮いてしまう。
【００９４】
しかしながら、本実施の形態では、仕切用リブ２０が凹部１９寄りに設けられている。よって、電池蓋２５が蓋穴２４に押し込まれた際に、電池蓋２５のパッキンＰに近い部分は、電池蓋２５の撓みによって、電池蓋２５の裏面が座面１８に接触するところまで押し込むことができる。よって、その後、電池蓋２５がパッキンＰの弾性により僅かなストロークだけ押し戻されて固定状態になったときに、電池蓋２５の裏面と座面１８との隙間を小さくすることができる。
【００９５】
ユーザーが指先を凹部１９に入れて、電池蓋２５を蓋穴２４から外す際、その前段で、指先が電池蓋２５の縁に触れて、電池蓋２５の縁に凹部１９側に押し込む力が掛かってしまうことがある。この場合、仮に、仕切用リブ２０が座面１８の取出口１２寄りに設けられていると、電池蓋２５の撓みによって電池蓋２５の縁が凹部１９側に落ち込んで、電池蓋２５の縁を指先に確実に引っ掛けにくくなる。
【００９６】
しかしながら、本実施の形態では、仕切用リブ２０が凹部１９寄りに設けられている。よって、電池蓋２５の縁に凹部１９側に押し込む力が掛かっても、仕切用リブ２０の規制により、電池蓋２５の縁は凹部１９側へ余り落ち込むことがない。よって、電池蓋２５を外す際に、電池蓋２５の縁の位置が安定して、電池蓋２５が安定的に外し易くなる。
【００９７】
［仕切用リブの変形例］
仕切用リブに係る構成としては、次のような変形を適用してもよい。
【００９８】
図２６は、仕切用リブの第１変形例を示す平面図である。
【００９９】
第１変形例の仕切用リブ２０Ａは、座面１８の中でＬ字状に伸びる形状とした例である。凹部１９の２辺のみが座面１８に差し掛かっている（つながっている）場合、このようにＬ字状の仕切用リブ２０Ａとしても、凹部１９の片側を完全に囲って、取出口１２への塗料の吹込みを防止できる。
【０１００】
なお、前述した図２５のように、凹部１９の３辺が座面１８に差し掛かっている場合でも、Ｌ字状の仕切用リブ２０Ａを適用してもよい。
【０１０１】
図２７および図２８は、仕切用リブの第２変形例を示す断面図（図２８のＣ−Ｃ線断面図）および平面図である。
【０１０２】
第２変形例は、筐体１０の仕切用リブ２０Ｂと位置をずらして、電池蓋２５Ａの裏面にも仕切用リブ（裏リブに相当）２１を設けた例である。仕切用リブ２１は、樹脂により電池蓋２５Ａと一体成型されてなり、凹部１９の片側を囲うように隆起した構成である。図２７および図２８の例では、電池蓋２５Ａの仕切用リブ２１が、筐体１０の仕切用リブ２０Ｂより凹部１９寄りに形成されている。なお、２つの仕切用リブ２０Ｂ、２１の配置は逆転させてもよい。
【０１０３】
この構成によれば、筐体１０に電池蓋２５Ａを嵌めた状態で筐体１０および電池蓋２５Ａの塗装を同時に行う場合に、取出口１２への塗料の吹込みをより確実に防止できるという効果が得られる。
【０１０４】
図２９は、仕切用リブの第３変形例を示す断面図である。
【０１０５】
第３変形例は、筐体１０に仕切用リブを設けずに、電池蓋２５Ａの裏面にのみ仕切用リブ２１を設けた例である。
【０１０６】
この構成であっても、筐体１０および電池蓋２５Ａの塗装を、筐体１０に電池蓋２５Ａを嵌めて同時に行う場合に、取出口１２への塗料の吹込みを防止することができる。
【０１０７】
［仕切用リブのその他の変形例］
なお、図２５の仕切用リブ２０において、取出口１２への塗料の吹き込みを遮断する作用は、凹部１９から取出口１２までの直線距離が短い箇所において特に有用であり、凹部１９から取出口１２までの直線距離が長い箇所においては比較的に有用性が低い。よって、仕切用リブ２０は、図２５に示すように、凹部１９の片側全体を囲うように設ける必要はなく、有用となる範囲ｒ１にだけ設け、この範囲ｒ１を外れた部分は省いてもよい。
【０１０８】
また、仕切用リブ２０は、座面１８の凹部１９寄りでなく、座面１８の取出口１２に近い位置に設けてもよい。この構成でも、取出口１２への塗料の吹込みを防止できる。
【０１０９】
さらに、凹部１９の寸法が大きく、凹部１９の電池蓋２５に隠れる部分に外側から見えない塗装不要な箇所があれば、仕切用リブは凹部１９の塗装不要箇所の中を渡るように設けられてもよい。
【０１１０】
また、上記実施の形態では、電池パック２９を着脱するための蓋穴２４および電池蓋２５に仕切用リブを設けた構成を例にとって説明した。しかしながら、例えば、コネクタ端子を露出させる蓋穴および蓋等に同様の構成を適用してもよい。
【０１１１】
以上、本発明の各実施の形態について説明した。
【０１１２】
なお、上記実施の形態では、折畳み型の携帯端末装置を例にとって説明したが、本発明は所謂スマートフォンなど箱型の携帯端末装置にも適用できる。
【産業上の利用可能性】
【０１１３】
本発明は、携帯電話機、携帯型コンピュータ、携帯型の音楽プレーヤーなどの携帯端末装置に適用できる。
【符号の説明】
【０１１４】
１０  筐体
１２  取出口
１３  収容部
１４  樹脂成型部
１５  線状リブ
１８  座面
１９  凹部
２０、２０Ａ、２０Ｂ、２１  仕切用リブ
２４  蓋穴
２５、２５Ａ  電池蓋
３０  電子基板
３２、３３  カードコネクタ
３７  保護用の板金
３８  ガードブロック
４０  板金部材
４１、４１Ａ−４１Ｄ  張出部
５１  ダイアフラム（要支持部）
５５  一枚板部（薄弱部）
ｆ１  粘着面
Ｐ  パッキン
Ｓ、Ｓ１  情報シール
【図１】
2014035736.tif 000003
【図２】
2014035736.tif 000004
【図３】
2014035736.tif 000005
【図４】
2014035736.tif 000006
【図５】
2014035736.tif 000007
【図６】
2014035736.tif 000008
【図７】
2014035736.tif 000009
【図８】
2014035736.tif 000010
【図９】
2014035736.tif 000011
【図１０】
2014035736.tif 000012
【図１１】
2014035736.tif 000013
【図１２】
2014035736.tif 000014
【図１３】
2014035736.tif 000015
【図１４】
2014035736.tif 000016
【図１５】
2014035736.tif 000017
【図１６】
2014035736.tif 000018
【図１７】
2014035736.tif 000019
【図１８】
2014035736.tif 000020
【図１９】
2014035736.tif 000021
【図２０】
2014035736.tif 000022
【図２１】
2014035736.tif 000023
【図２２】
2014035736.tif 000024
【図２３】
2014035736.tif 000025
【図２４】
2014035736.tif 000026
【図２５】
2014035736.tif 000027
【図２６】
2014035736.tif 000028
【図２７】
2014035736.tif 000029
【図２８】
2014035736.tif 000030
【図２９】
2014035736.tif 000031